【事件の表示】
　特許第３０２６２８１号「カメラ用レンズの絞り装置」の請求項１に係る特許に対する特許異議の申立てについて、次のとおり決定する。
【結　論】
　訂正を認める。
　特許第３０２６２８１号の請求項１に係る特許を維持する。
【理　由】
（１）手続の経緯
　特許第３０２６２８１号の請求項１に係る発明は、平成３年１１月５日に特許出願され、平成１２年１月２８日にその特許の設定登録がなされ、その後異議申立人斎藤順一により特許異議の申立がなされ、取消理由通知がなされ、その指定期間内である平成１３年２月５日に訂正請求がなされたものである。
　
（２）訂正の適否についての判断
　（ア）訂正の内容
訂正事項ａ
特許請求の範囲の請求項１に係る記載
　「【請求項１】　絞り口径が所定値以下の小絞り側において、絞りをＮＤフイル夕によって補正するようにしたカメラ用レンズの絞り装置に於いて、前記ＮＤフイルタは、略三日月状に形成されており、画面の上方位置から中央部方向に、前記ＮＤフイル夕の円弧状縁を下向きにして移動制御されるように取付けたことを特徴とするカメラ用レンズの絞り装置。」を、
　「【請求項１】　絞り口径が所定値以下の小絞り側において、絞りをＮＤフイルタによって補正するようにしたカメラ用レンズの絞り装置に於いて、
　前記絞り装置は、複数枚の絞り板を所定の回動支点を中心に回動させることにより絞り孔を略円形を維持した状態で拡縮する虹彩絞り装置であり、
　前記ＮＤフイルタは、前記複数枚の絞り板のうち、その回動支点がレンズの光軸を通る水平線上に略位置する絞り板に取り付けられるとともに、
　前記ＮＤフイル夕は、略三日月状に形成されており、画面の上方位置から中央部方向に、前記ＮＤフイルタの円弧状縁を下向きにして移動制御されるように取付けたことを特徴とするカメラ用レンズの絞り装置。」と訂正する。
　
訂正事項ｂ
　平成１１年７月１２日付手続補正書第２頁第３〜７行（本件特許公報第２頁第３欄第１４〜２０行）「本発明は、前記目的を達成する為に、・・・特徴とする。」を、
　「本発明は、前記目的を達成する為に、絞り口径が所定値以下の小絞り側において、絞りをＮＤフイルタによって補正するようにしたカメラ用レンズの絞り装置に於いて、前記絞り装置は、複数枚の絞り板を所定の回動支点を中心に回動させることにより絞り孔を略円形を維持した状態で拡縮する虹彩絞り装置であり、前記ＮＤフィル夕は、前記複数枚の絞り板のうち、その回動支点がレンズの光軸を通る水平線上に略位置する絞り板に取り付けられるとともに、前記ＮＤフィル夕は、略三日月状に形成されており、画面の上方位置から中央部方向に、前記ＮＤフィル夕の円弧状縁を下向きにして移動制御されるように取付けたことを特徴とする。」と訂止する。
　
訂正事項ｃ
　明細書第４頁第１３〜１９行（本件特許公報第２頁第４欄第３８〜４６行）「また、・・・適用することがきる。」を、
　「また、高濃度のＮＤフイル夕を取付けてもシェーディングの影響を軽減することができるので、絞り範囲を従来のカメラ用レンズの絞り装置と比較して大幅に広くすることができる。」と訂正する。
　
　（イ）訂正の目的の適否、新規事項の有無及び拡張・変更の存否
　訂正事項ａに係る訂正は、特許請求の範囲の減縮に該当し、実質的に特許請求の範囲を拡張又は変更するものではないし、新規事項の追加にも該当しない。
　
　訂正事項ｂに係る訂正は、明瞭でない記載の釈明に該当し、実質的に特許請求の範囲を拡張又は変更するものではないし、新規事項の追加にも該当しない。
　
　訂正事項ｃに係る訂正は、明瞭でない記載の釈明に該当し、実質的に特許請求の範囲を拡張又は変更するものではないし、新規事項の追加にも該当しない。　
　
　（ウ）むすび
　以上のとおりであるから、上記訂正は特許法等の一部を改正する法律（平成６年法律第１１６号）（以下「平成６年改正法」という。）附則第６条第１項の規定によりなお従前の例によるとされる、特許法第１２０条の４第３項において準用する平成６年改正法による改正前の特許法第１２６条第１項ただし書及び第２項の規定に適合するので、当該訂正を認める。
　
（３）特許異議の申立について
　（ア）申立の理由の概要
　申立人斎藤順一は、証拠として甲第１号証（特願平３−１１８２０８号）を提出し、本件請求項１に係る発明の特許は、その出願の日前の出願であって、その出願後に出願公開された上記甲第１号証（特願平３−１１８２０８号）の願書に最初に添付した明細書又は図面に記載された発明と同一であると認められ、しかも、請求項１に係る発明の発明者が甲第１号証（特願平３−１１８２０８号）に記載された発明の発明者と同一であるとも、この出願の時において、その出願人が上記他の出願の出願人と同一であるとも認められないので、請求項１に係る発明の特許は特許法第２９条の２第１項の規定に違反してなされたものであるので、本件請求項１に係る発明の特許を取り消すべき旨主張している。
　
　（イ）本件請求項１に係る発明
　上記「（２）訂正の適否についての判断」で示したように上記訂正が認められるから、本件請求項１に係る発明（以下、「本件発明」という。）は、上記訂正請求に係る訂正明細書の特許請求の範囲の請求項１に記載された事項により特定される次のとおりのものである。
「【請求項１】　絞り口径が所定値以下の小絞り側において、絞りをＮＤフイルタによって補正するようにしたカメラ用レンズの絞り装置に於いて、
　前記絞り装置は、複数枚の絞り板を所定の回動支点を中心に回動させることにより絞り孔を略円形を維持した状態で拡縮する虹彩絞り装置であり、
　前記ＮＤフイルタは、前記複数枚の絞り板のうち、その回動支点がレンズの光軸を通る水平線上に略位置する絞り板に取り付けられるとともに、
　前記ＮＤフイル夕は、略三日月状に形成されており、画面の上方位置から中央部方向に、前記ＮＤフイルタの円弧状縁を下向きにして移動制御されるように取付けたことを特徴とするカメラ用レンズの絞り装置。」
　
　（ウ）引用例
　本件発明に対して、当審が平成１２年１１月２２日付で通知した取消理由で引用した特願平３−１１８２０８号（甲第１号証）には、
「例えば、カメラのアイリスでは、絞り羽根の絞り部に、光の波長すべてにわたり各波長とも等しい吸収率をもつもので光量減少を目的としているＮＤフィルター・・・が固着され、最小絞りでも露出過度になったり、明る過ぎてＥＥ・・・のカバー範囲を越える場合等に使用されている。これを、図５，６によって具体的に説明すると、１００はカメラのレンズ光学系の中に置かれた絞り板であり、この絞り板１００には円形の開口部１００ａを形成してある。この開口部１００ａは上記絞り板１００に沿って上下動して近接，離反する一対の絞り羽根１０１，１０２で開閉自在になっている。この上側の絞り羽根１０１にはその円弧状の絞り部１０１ａに所定長さ突出するＮＤフィルター１１０を接着剤で固着してある。このＮＤフィルター１１０は略扇形に形成してあり、その円弧状の突出部１１０ａが上記上下一対の絞り羽根１０１，１０２の各絞り部１０１ａ，１０２ａの間で形成される上記絞り板１００の開□部１００ａ内に突出するようになっている。そして、図６に示すように、この一対の絞り羽根１０１，１０２が上下動する所謂縦開きタイプの絞り装置が小絞りになるにしたがって上記上下一対の絞り羽根１０１，１０２の各絞り部１０１ａ，１０２ａ間で面積が可変される上記絞り板１００の開□部１００ａ内において、上記ＮＤフィルター１１０の円弧状の突出部１１０ａの占める面積を大きくしてレンズ光学系の光量を減少させるようにしている。」〔特願平３−１１８２０８号明細書段落【０００２】（特開平４−３４５１４９号公報第２頁左欄第１８〜４４行参照）〕が記載されている。
　
　（エ）対比・判断
　本件発明と上記特願平３−１１８２０８号（甲第１号証）に記載の発明とを対比すると、特願平３−１１８２０８号（甲第１号証）に記載の発明は、本件発明を特定する事項である「絞り装置は、複数枚の絞り板を所定の回動支点を中心に回動させることにより絞り孔を略円形を維持した状態で拡縮する虹彩絞り装置であり、ＮＤフイルタは、前記複数枚の絞り板のうち、その回動支点がレンズの光軸を通る水平線上に略位置する絞り板に取り付けられるとともに、・・・画面の上方位置から中央部方向に、・・・移動制御されるように取付けた」点を備えておらず、この点により本件発明は、明細書記載の効果を奏するものであり、本件発明が、その出願の日前の出願であって、その出願後に出願公開された上記特願平３−１１８２０８号（甲第１号証）の願書に最初に添付した明細書又は図面に記載された発明と同一であるとは認められない。
　
　（オ）むすび
　以上のとおりであるから、特許異議の申立の理由及び証拠によっては、本件請求項１に係る発明についての特許を取り消すことはできない。
　また、他に本件請求項１に係る発明についての特許を取り消すべき理由を発見しない。
　したがって、本件請求項１に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年２月２７日（２００１．２．２７）
【訂正の要旨】
　（訂正の要旨）
訂正事項ａ
特許請求の範囲の請求項１に係る記載
　「【請求項１】　絞り口径が所定値以下の小絞り側において、絞りをＮＤフイルタによって補正するようにしたカメラ用レンズの絞り装置に於いて、前記ＮＤフイルタは、略三日月状に形成されており、画面の上方位置から中央部方向に、前記ＮＤフイルタの円弧状縁を下向きにして移動制御されるように取付けたことを特徴とするカメラ用レンズの絞り装置。」を、
　「【請求項１】　絞り口径が所定値以下の小絞り側において、絞りをＮＤフイルタによって補正するようにしたカメラ用レンズの絞り装置に於いて、
　前記絞り装置は、複数枚の絞り板を所定の回動支点を中心に回動させることにより絞り孔を略円形を維持した状態で拡縮する虹彩絞り装置であり、
　前記ＮＤフイルタは、前記複数枚の絞り板のうち、その回動支点がレンズの光軸を通る水平線上に略位置する絞り板に取り付けられるとともに、
　前記ＮＤフイルタは、略三日月状に形成されており、画面の上方位置から中央部方向に、前記ＮＤフイルタの円弧状縁を下向きにして移動制御されるように取付けたことを特徴とするカメラ用レンズの絞り装置。」と訂正する。
訂正事項ｂ
　平成１１年７月１２日付手続補正書第２頁第３〜７行（本件特許公報第２頁第３欄第１４〜２０行）「本発明は、前記目的を達成する為に、・・・特徴とする。」を、
　「本発明は、前記目的を達成する為に、絞り口径が所定値以下の小絞り側において、絞りをＮＤフイルタによって補正するようにしたカメラ用レンズの絞り装置に於いて、前記絞り装置は、複数枚の絞り板を所定の回動支点を中心に回動させることにより絞り孔を略円形を維持した状態で拡縮する虹彩絞り装置であり、前記ＮＤフィルタは、前記複数枚の絞り板のうち、その回動支点がレンズの光軸を通る水平線上に略位置する絞り板に取り付けられるとともに、前記ＮＤフィルタは、略三日月状に形成されており、画面の上方位置から中央部方向に、前記ＮＤフィルタの円弧状縁を下向きにして移動制御されるように取付けたことを特徴とする。」と訂止する。
訂正事項ｃ
　明細書第４頁第１３〜１９行（本件特許公報第２頁第４欄第３８〜４６行）「また、・・・適用することがきる。」を、
　「また、高濃度のＮＤフイルタを取付けてもシェーディングの影響を軽減することができるので、絞り範囲を従来のカメラ用レンズの絞り装置と比較して大幅に広くすることができる。」と訂正する。
（５４）【発明の名称】
カメラ用レンズの絞り装置
（５７）【特許請求の範囲】
　【請求項１】　絞り口径が所定値以下の小絞り側において、絞りをＮＤフイルタによって補正するようにしたカメラ用レンズの絞り装置に於いて、
　
前記絞り装置は、複数枚の絞り板を所定の回動支点を中心に回動させることにより絞り孔を略円形を維持した状態で拡縮する虹彩絞り装置であり、
　
前記ＮＤフイルタは、前記複数枚の絞り板のうち、その回動支点がレンズの光軸を通る水平線上に略位置する絞り板に取り付けられるとともに、
　前記ＮＤフイルタは、略三日月状に形成されており、画面の上方位置から中央部方向に、前記ＮＤフイルタの円弧状縁を下向きにして移動制御されるように取付けたことを特徴とするカメラ用レンズの絞り装置。
【発明の詳細な説明】
　【産業上の利用分野】
　本発明はカメラ用レンズの絞り装置に係り、特にＮＤフイルタが取付けられたカメラ用レンズの絞り装置に関する。
　【従来の技術】
　最近のテレビカメラ等は、撮像管、ＣＣＤ等の高感度化がはかられており、これに伴いレンズには絞り範囲の広いものが求められている。
　しかしながら、紅彩絞り装置のような絞り装置では、小口径での絞り範囲を広くする為に所定の絞り口径以下で絞り量を制御することは高精度を要し困難である。
　そこで、このような問題を解消する為に、従来から濃淡のあるＮＤフイルタを小絞り側に挿入し、補正するようにしたカメラ用レンズの絞り装置がある。この絞り装置は、絞り口径を縮小するに伴って前記ＮＤフイルタが絞り孔の中央部に移動し、そして絞り口径が所定の口径まで縮小した際にＮＤフイルタが絞り孔に重畳する。これにより、所定の絞り口径以下の絞り量をＮＤフイルタの光透過率を変えることにより制御することができるので、絞り範囲を広くすることができる。
　【発明が解決しようとする課題】
　しかしながら、従来のカメラ用レンズの絞り装置は、ＮＤフイルタを取付けると、そのＮＤフイルタの取付け位置に対応する画面にシェーディングが発生するという欠点がある。例えば、画面の横方向あるいは下方向から光路内に入るようにすると、画面の片側、又は下方等にシェーディングが発生すると画像が不自然になり、画像に悪影響を与えるという欠点がある。
　本発明はこのような事情に鑑みてなされたもので、ＮＤフイルタを装着しても、シェーディングの影響を軽減することがきるカメラ用レンズの絞り装置を提供することを目的とする。
　【課題を解決する為の手段】
　本発明は、前記目的を達成する為に、絞り口径が所定値以下の小絞り側において、絞りをＮＤフイルタによって補正するようにしたカメラ用レンズの絞り装置に於いて、
前記絞り装置は、複数枚の絞り板を所定の回動支点を中心に回動させることにより絞り孔を略円形を維持した状態で拡縮する虹彩絞り装置であり、前記ＮＤフイルタは、前記複数枚の絞り板のうち、その回動支点がレンズの光軸を通る水平線上に略位置する絞り板に取り付けられるとともに、
　【作用】
　本発明の特徴は、一般の被写体（ファインダあるいはモニタから見える画面）の上方部が屋外に於いては空であり、また屋内に於いては蛍光灯等がある場合が多く、即ち画面の上方部以外の部分の明るさが上方部と比較して暗いこと、及びその上方部にシェーディングが発生しても画面全体の明るさが均等になり画像に不自然さを与えないことに着目し、ＮＤフイルタを、複数の絞り羽根のうち画面の上方から中央部方向に移動する絞り羽根に取付けて、シェーディングを画面の上方に発生させるようにした。従って、ＮＤフイルタを取付けても、画像に不自然さを与えないので、シェーディングの影響を軽減することができる。
　【実施例】
　以下添付図面に従って本発明に係るカメラ用レンズの絞り装置の好ましい実施例について詳説する。
　図１は本発明に係るカメラ用レンズの絞り装置１０の実施例を示す正面図が示され、この絞り装置１０はドーナッツ状の円板型に構成されて、その中央部には光軸Ｐを中心とする絞り孔１２が形成されている。また、前記絞り装置１０は外側円板１４と内側円板１６から成り、この内側円板１６が外側円板１４の内周面に摺動可能に取付けられる。前記外側円板１４の側面にはピン１８、２０、２２、２４が９０°の間隔で植設され、これらのピン１８乃至２４に紅彩絞り板２６、２８、３０、３２がそれぞれ回動可能に配設される。
　前記紅彩絞り板２６乃至３２は図２に示すように、略三日月形状に形成され、その内周曲面３４、３６、３８、４０で前述した絞り孔１２が画成される。また、紅彩絞り板２６乃至３２の前記ピン１８乃至２４の取付部近傍には、溝孔４２、４４、４６、４８が形成されている。これらの溝孔４２乃至４８にはピン５０、５２、５４、５６が挿入されて装着される。前記ピン５０乃至５６は図３に示すように、前記内側円板１６の側面に９０°の間隔で植設され、内側円板１６に一体に形成された把持アーム５８を光軸Ｐを支点として時計方向回りに回動させると、図３中二点鎖線で示す位置に移動することができる。
　また、ＮＤフイルタ６０が前記紅彩絞り板２８の内周曲面３６に固着されている。前記紅彩絞り板２８は図４乃至図６に示すように、絞り孔１２を収縮した際に、図示しないカメラのファインダから見える画面の上方から中央部方向（光軸Ｐ方向）に移動する紅彩絞り板である。したがって、前記ＮＤフイルタ６０も画面の上方から中央部方向に移動することができる。
　次に、前記の如く構成されたカメラ用レンズの絞り装置１０の作用について図４乃至図６を参照しながら説明する。
　ここで、図１に示した絞り孔１２の口径が本絞り装置１０の最大絞り口径であり、この状態から前記絞り口径１２を縮小する作用について説明する。
　図１の状態にある把持アーム５８を、時計方向回りに回動して内側円板１６を外側円板１４に対して回動する。内側円板１６を回動すると、前述した紅彩絞り板２６乃至３２は、溝孔４２乃至４８がピン５０乃至５６の回動に伴って反時計方向回りに移動ピン１８乃至２４を支点として反時計方向回りに回動する。これによって、前記絞り孔１２は図４乃至図６に示すように連続して縮小する。
　ところで、絞り孔１２が縮小する時に、前記ＮＤフイルタ６０は紅彩絞り板２８の回動に従って画面の上方から中央部方向に移動する。これにより、本カメラ用レンズの絞り装置１０で撮像される画面は、画面の上方にシェーディングが発生する。しかし、一般的な被写体は、画面の上方がそれ以外の部分よりも明るい場合が多いので、画面の上方にシェーディングが発生しても画面全体の明るさが均等になり画像に不自然さを与えない。従って、画像に悪影響を与えないで済む。
　また、高濃度のＮＤフイルタを取付けてもシェーディングの影響を軽減することができるので、絞り範囲を従来のカメラ用レンズの絞り装置と比較して大幅に広くすることができる。
　【発明の効果】
　以上説明したように本発明に係るカメラ用レンズの絞り装置によれば、ＮＤフイルタを被写体に関して上方位置から中央部方向に移動制御したので、ＮＤフイルタを装着してもシェーディングの影響を軽減することができる。従って、絞り範囲を従来のカメラ用レンズの絞り装置と比較して広くすることができる。
【図面の簡単な説明】
　【図１】
　本発明に係るカメラ用レンズの絞り装置の実施例を示す正面図
　【図２】
　本発明に係るカメラ用レンズの絞り装置に適用された紅彩絞り板の説明図
　【図３】
　本発明に係るカメラ用レンズの絞り装置に適用された内側円板の説明図
　【図４】
　本発明に係るカメラ用レンズの絞り装置が絞り口径を収縮する状況を示す説明図
　【図５】
　本発明に係るカメラ用レンズの絞り装置が絞り口径を収縮する状況を示す説明図
　【図６】
　本発明に係るカメラ用レンズの絞り装置が絞り口径を収縮する状況を示す説明図
　【符号の説明】
　１０…カメラ用レンズの絞り装置
　１２…絞り孔
　１４…外側円板
　１６…内側円板
　２６、２８、３０、３２…紅彩絞り板
　５８…把持アーム
　６０…ＮＤフイルタ